(57)【特許請求の範囲】
【請求項１】
光ディスクにアクセスする光ピックアップを基台に保持させ、シャーシに回転自在に支持させた送り用ねじ軸の送り用ねじ面の周方向片面に、前記基台に取り付けたねじ係合部材の第１の係合面部を係合させ、前記ねじ軸を回転駆動することで、ねじ係合部材を取り付けた基台とともに光ピックアップを光ディスクの径方向に移動自在とした光ディスク装置であって、
前記基台側に、前記送り用ねじ軸の送り用ねじ面に近接して臨む第２の係合面部を有する部材を取り付け、
前記第２の係合面部を設けた部材の一部が当接可能とされ、当接することで前記第２の係合面部を設けた部材の第２の係合面部が送り用ねじ面から離反する方向に弾性変形することを阻止する阻止壁を設け、
前記第２の係合面部は、送り用ねじ軸の通常の送り動作時には送り用ねじ軸の送り用ねじ面から離間している一方、送り用ねじ軸が略回転していない状態で、光ピックアップが送り用ねじ軸に対して送り方向に相対的に移動しようとした際には、送り用ねじ軸の送り用ねじ面と阻止壁とに当接して光ピックアップの移動を阻止するよう構成し、
前記送り用ねじ軸の一部に、送り用ねじ面より低い山の高さの第１、第２の歯飛び用低面部を、これらの間のピッチが、第１の係合面部と第２の係合面部との間のピッチにほぼ対応するように形成し、
前記阻止壁を、前記第１、第２の歯飛び用低面部が設けられている箇所に前記第１、第２の係合面部が臨んでいる状態では、歯飛び動作を許容させるように配置したことを特徴とする光ディスク装置。
【請求項２】
第１の係合面部が設けられたねじ係合部材に第２の係合面部も設け、ねじ係合部材を、２つの板バネ形状部分を有するナット板で構成し、このナット板における各板バネ形状部分の先端部近傍箇所にそれぞれ山型に突出する第１、第２の係合面部としての第１、第２のナット部を形成したことを特徴とする請求項１に記載の光ディスク装置。
【請求項３】
阻止壁を基台で構成したことを特徴とする請求項１または２に記載の光ディスク装置。
【発明の詳細な説明】
【０００１】
【発明の属する技術分野】
本発明は、情報の記録や再生を行うことができる光ディスク装置に関するものである。
【０００２】
【従来の技術】
近年、光ディスクを記録媒体として光ピックアップにより読み取り再生する光ディスク装置において、小型化、高性能化が進んでおり、携帯用の光ディスク装置としてミニディスク（ＭＤ）を用いた携帯用ＭＤプレーヤーが一般的に普及している。
【０００３】
以下、従来の光ディスク装置について、特開平１１−９６７４７号公報に開示された携帯用ＭＤプレーヤーを一例として説明する。
図６（ａ）、（ｂ）は特開平１１−９６７４７号公報に開示された従来の携帯用ＭＤプレーヤーの断面図、図７はそのシャーシ部分の斜視図、図８（ａ）および（ｂ）は同シャーシ部分の平面図および図８（ａ）のＲ−Ｒ線矢視断面図である。
【０００４】
図６（ａ）、（ｂ）に示すように、携帯用ＭＤプレーヤーは、開閉可能な上蓋１０１ａとその上蓋１０１ａを回動可能に保持する下ケース１０１ｂとにより、その外装ケース１０１が構成されている。なお、図６（ａ）は上蓋１０１ａを開放させた状態を示しており、図６（ｂ）は上蓋１０１ａを下ケース１０１ｂに向けて閉じた状態を示している。
【０００５】
図６（ａ）に示すように、光ディスク１００を収納したミニディスクケース（以下ＭＤケースと記す）１０２は、上蓋１０１ａを開放した状態で装着される。光ディスク１００には音楽情報等の各種情報が記録されている。下ケース１０１ｂのほぼ中央には、スピンドルモータ１０３が配置されており、スピンドルモータ１０３の上部にはＭＤケース１０２内の光ディスク１００を載置させて回転させるターンテーブル１０４が設けられている。
【０００６】
また、下ケース１０１ｂの内部には、ＭＤケース１０２内の光ディスク１００の情報を読み取る光ピックアップ１０５と、その光ピックアップ１０５を光ディスク１００の径方向（図７に示す矢印Ａ方向または矢印Ｂ方向（トラック方向））へ移動させるための送り機構１０６が設けられている。また、光ピックアップ１０５は、土台である基台１０５ａと、この基台１０５ａの中に取り付けられたレンズやサスペンションワイヤなどの光学部品１０５ｂとにより構成されている。送り機構１０６には、シャーシ１０８に回転可能に支持されている送り用ねじ軸としての主軸１０７と、光ピックアップ１０５に一端が固定されているねじ係合部材としてのナット板１０９と、主軸１０７を回転させる送り用駆動モータ１１０と、送り用駆動モータ１１０の駆動力を主軸１０７の回転力に変換して伝達する駆動力伝達機構（図示せず）と、光ピックアップ１０５を光ディスク１００のトラック方向に案内する副軸（図示せず）などが設けられており、主軸１０７には螺旋状のネジ溝が形成されている。そして、主軸１０７を回転させることにより、この主軸１０７にそのナット部（係合面部）１０９ａが係合したナット板１０９を介して、光ピックアップ１０５を光ディスク１００のトラック方向へ移動するよう構成されている。
【０００７】
また、下ケース１０１ｂの内部において、送り機構１０６の下部には、ＭＤケース１０２内の光ディスク１００を再生するのに必要な電気部品、および電気回路が配設されている。
【０００８】
なお、図７における１０８ａは、シャーシ１０８に形成されて、光ピックアップ１０５が移動可能な開口窓、図８（ａ）における１０７ａは、主軸１０７に形成され、光ピックアップ１０５を矢印Ａ方向または矢印Ｂ方向に送るための送り用ねじ面である。
【０００９】
上記のように構成された、従来の携帯用ＭＤプレーヤーにおいては、光ピックアップ１０５が光ディスク１００の情報を確実に読み込むために、光ピックアップ１０５と光ディスク１００との相対距離が許容範囲内になるよう設定されている。よって、光ピックアップ１０５における光学部品１０５ｂのレンズの焦点距離と光ディスク１００の記録面との位置が合い、また、光ピックアップ１０５が前記記録面のトラック方向に移動し、前記記録面の全情報を読み取ることができ、音楽情報を再生ができるよう構成されている。
【００１０】
【発明が解決しようとする課題】
上述したように、光ディスク装置においては、光ピックアップ１０５が光ディスク１００における記録面のトラック方向の範囲で移動できるよう構成されている。
【００１１】
このような携帯型のＭＤプレーヤーの場合、ユーザーがこのＭＤプレーヤーを落としたり振動を与えたりして、大きな衝撃を与えてしまうことがある。しかしながら、従来の光ディスク装置においては、この際の衝撃で光ピックアップ１０５がその慣性力により図７に示す矢印Ａ方向または矢印Ｂ方向へ移動しようする場合があるが、この場合に、前記光ピックアップ１０５の慣性力を受けたナット板１０９が大きく弾性変形してナット部１０９ａが主軸１０７の送り用ねじ面１０７ａから瞬間的に離脱してしまい、光ピックアップ１０５が可動範囲を超えて前記矢印Ａ方向または矢印Ｂ方向へ動いてしまうことがある。すると、図８において仮想線で示すように、光ピックアップ１０５の基台１０５ａがシャーシ１０８の開口窓に臨む内壁１０８ｂに強く衝突してしまう。この際の衝撃レベルは数千Ｇ（Ｇとは重力加速度の略）も発生するため、光ピックアップ１０５の光学部品１０５ｂにダメージを与えてしまう。これは、例えば、光学部品１０５ｂの中の、レンズが割れたり、欠けたり、あるいは、サスペンションワイヤ−が曲がってしまうという症状である。こうなれば、光ピックアップ１０５が光ディスク１００の情報を正確に読み取ることができなくなるので、音楽情報を再生できなくなる。
【００１２】
本発明は上記課題を解決するもので、光ディスク装置に大きな衝撃が与えられた場合でも、光ピックアップがシャーシなどに強く衝突することを防止できる光ディスク装置を提供することを目的とするものである。
【００１３】
【課題を解決するための手段】
上記課題を解決するために本発明は、光ディスクにアクセスする光ピックアップを基台に保持させ、シャーシに回転自在に支持させた送り用ねじ軸の送り用ねじ面の周方向片面に、前記基台に取り付けたねじ係合部材の第１の係合面部を係合させ、前記ねじ軸を回転駆動することで、ねじ係合部材を取り付けた基台とともに光ピックアップを光ディスクの径方向に移動自在とした光ディスク装置であって、前記基台側に、前記送り用ねじ軸の送り用ねじ面に近接して臨む第２の係合面部を有する部材を取り付け、前記第２の係合面部を設けた部材の一部が当接可能とされ、当接することで前記第２の係合面部を設けた部材の第２の係合面部が送り用ねじ面から離反する方向に弾性変形することを阻止する阻止壁を設け、前記第２の係合面部は、送り用ねじ軸の通常の送り動作時には送り用ねじ軸の送り用ねじ面から離間している一方、送り用ねじ軸が略回転していない状態で、光ピックアップが送り用ねじ軸に対して送り方向に相対的に移動しようとした際には、送り用ねじ軸の送り用ねじ面と阻止壁とに当接して光ピックアップの移動を阻止するよう構成し、前記送り用ねじ軸の一部に、送り用ねじ面より低い山の高さの第１、第２の歯飛び用低面部を、これらの間のピッチが、第１の係合面部と第２の係合面部との間のピッチにほぼ対応するように形成し、前記阻止壁を、前記第１、第２の歯飛び用低面部が設けられている箇所に前記第１、第２の係合面部が臨んでいる状態では、歯飛び動作を許容させるように配置したことを特徴とする。
【００１４】
この構成により、光ディスク装置に大きな衝撃が与えられた場合でも、光ピックアップがシャーシなどに強く衝突することを防止できる。
【００１５】
【発明の実施の形態】
本発明の請求項１に記載の発明は、光ディスクにアクセスする光ピックアップを基台に保持させ、シャーシに回転自在に支持させた送り用ねじ軸の送り用ねじ面の周方向片面に、前記基台に取り付けたねじ係合部材の第１の係合面部を係合させ、前記ねじ軸を回転駆動することで、ねじ係合部材を取り付けた基台とともに光ピックアップを光ディスクの径方向に移動自在とした光ディスク装置であって、前記基台側に、前記送り用ねじ軸の送り用ねじ面に近接して臨む第２の係合面部を有する部材を取り付け、前記第２の係合面部を設けた部材の一部が当接可能とされ、当接することで前記第２の係合面部を設けた部材の第２の係合面部が送り用ねじ面から離反する方向に弾性変形することを阻止する阻止壁を設け、前記第２の係合面部は、送り用ねじ軸の通常の送り動作時には送り用ねじ軸の送り用ねじ面から離間している一方、送り用ねじ軸が略回転していない状態で、光ピックアップが送り用ねじ軸に対して送り方向に相対的に移動しようとした際には、送り用ねじ軸の送り用ねじ面と阻止壁とに当接して光ピックアップの移動を阻止するよう構成し、前記送り用ねじ軸の一部に、送り用ねじ面より低い山の高さの第１、第２の歯飛び用低面部を、これらの間のピッチが、第１の係合面部と第２の係合面部との間のピッチにほぼ対応するように形成し、前記阻止壁を、前記第１、第２の歯飛び用低面部が設けられている箇所に前記第１、第２の係合面部が臨んでいる状態では、歯飛び動作を許容させるように配置したことを特徴とする。
【００１６】
この構成によれば、光ディスク装置に大きな衝撃が与えられるなどして、光ピックアップが送り用ねじ軸に対して送り方向に相対的に移動しようとした際には、第２の係合面部が送り用ねじ軸の送り用ねじ面に当接し、この送り用ねじ面の傾斜面によりこの送り用ねじ面から離反する方向に弾性変形しようとする。しかし、第２の係合面部を設けた部材が阻止壁に当接して、前記弾性変形が阻止されるため、第２の係合面部が送り用ねじ軸の送り用ねじ面から歯飛びすることを阻止され、この結果、光ピックアップの基台が光ディスクの径方向に移動することが防止され、光ピックアップがシャーシなどに強く衝突することが防止される。
【００１８】
また、この構成によれば、第１、第２の係合面部が送り用ねじ軸の第１、第２の歯飛び用低面部に臨んでいる状態では、歯飛び動作が許容されるため、光ピックアップが終端部よりさらに送られてシャーシなどに強く当接することが防止される。
【００１９】
本発明の請求項２に記載の発明は、請求項１に記載の光ディスク装置において、第１の係合面部が設けられたねじ係合部材に第２の係合面部も設け、ねじ係合部材を、２つの板バネ形状部分を有するナット板で構成し、このナット板における各板バネ形状部分の先端部近傍箇所にそれぞれ山型に突出する第１、第２の係合面部としての第１、第２のナット部を形成したことを特徴とする。
【００２０】
この構成によれば、簡単な構造で、第１、第２の係合面部を構成することができ、しかも、第１、第２の係合面部としての第１、第２のナット部を１つのナット板で構成するため、部品点数を最小限に抑えることができる。
【００２１】
本発明の請求項３に記載の発明は、請求項１または２に記載の光ディスク装置において、阻止壁を基台で構成したことを特徴とする。
この構成によれば、光ディスク装置に大きな衝撃が与えられた場合でも、基台の阻止壁により、第２の係合面部が送り用ねじ軸の送り用ねじ面から離脱することが防止される。また、基台が阻止壁としても兼用され、阻止壁を基台とは別途に設けたりしなくても済むため、部品点数の増加も防止される。
【００２２】
（実施の形態）
以下、本発明の実施の形態について図面に基づき説明する。
図１は、本発明の実施の形態における携帯用ＭＤプレーヤーのシャーシの分解斜視図を示す。なお、従来の携帯用ＭＤプレーヤーと同じ機能の部品については同一番号を付与してその説明は省略する。
【００２３】
１は本実施の形態にかかる光ピックアップであり、土台である基台１ａと、この基台１ａの中に取り付けられたレンズやサスペンションワイヤなどの光学部品１ｂなどにより構成されている。２は弾性材よりなるねじ係合部材としてのナット板で、止めビス４のネジ締めにより、光ピックアップ１に固定されている。このナット板２には、２つの板バネ形状部分が、送り用ねじ軸としての主軸３に沿うように両側方に延設され、これらの先端部近傍箇所にそれぞれ山型に突出するようにして第１、第２の係合面部としての第１、第２のナット部２ａ、２ｂが形成されている。第１のナット部２ａは、送り用ねじ軸としての主軸３の送り用ねじ面（送り溝）３ａに係合しており、送り用駆動モータ１１０などを備えた送り機構１０６によって、光ピックアップ１をトラック方向へ送ることができるよう構成されている。なお、この送り機構１０６による主軸３の回転駆動動作は、従来のものと同様である。
【００２４】
また、主軸３には、光ピックアップ１が終端部よりさらに送られてシャーシ１０８に強く当接することを防止する第１、第２の歯飛び用低面部３ｂ、３ｃが形成されている。これらの歯飛び用低面部３ｂ、３ｃは、送り用ねじ面３ａよりも低い（主軸３の外形部分よりも小さい）山の高さに形成されており、光ピックアップ１が終端部に送られた際に、この歯飛び用低面部３ｂ、３ｃに係合したナット板２のナット部２ａ、２ｂが歯飛びすることで、主軸３がさらに回転し続けた場合でも、光ピックアップ１が終端部よりさらに送られて、シャーシ１０８の内壁１０８ｂに強く当接したり、主軸３がロックしたりすることを防止するようになっている。なお、第１、第２の歯飛び用低面部３ｂ、３ｃは所定ピッチＱ（送り用ねじ面３ａのピッチの整数倍）だけ離れて形成され、第１のナット部５ａと第２のナット部５ｃとの離間距離（ピッチＰ）は主軸３の歯飛び用低面部３ｂ、３ｃ間のピッチＱとほぼ同じ寸法に設定されている。
【００２５】
そして、特に、光ピックアップ１の基台１ａにおけるナット板２の第２のナット部２ｂを臨む側の壁面が、ナット部２ｂの近傍位置まで接近するような形状とされ、この壁面が、ナット板２のナット部２ｂが大きく弾性変形することを規制して、主軸３の送り用ねじ面３ａから離脱することを阻止する阻止壁１ｃとして機能するようになっている。また、図４に示すように、主軸３を通常状態で回転させている時には、ナット板２の第２のナット部２ｂは、第１のナット部２ａと異なり、主軸３の送り用ねじ面３ａに係合しておらず、隙間を有する位置に配置されている。
【００２６】
さらに詳しく、図２〜図４を用いて説明する。同図の（ａ）および（ｂ）は、携帯用ＭＤプレーヤーのシャーシの部分正面図および断面図を示す。図２において、主軸３の外径（送り用ねじ面３ａにおける山の頂部の直径）をＸ、歯飛び用低面部３ｂ、３ｃの外径をＹ、送り用ねじ面３ａの谷径をＺとすると、以下の寸法関係になっている。
【００２７】
Ｘ  ＞  Ｙ  ＞  Ｚ
また、主軸３の歯飛び用低面部３ｂ、３ｃの幅Ｖは、余裕代をもって主軸３に外嵌された光ピックアップ１のガイド部１ｄの幅Ｗより小さく構成されている。
【００２８】
さらに、図３（ａ）に示すように、ナット板２のナット部２ａ、２ｂが主軸３の歯飛び用低面部３ｂ、３ｃに対応する乗り上げ位置となった際には、第１のナット部２ａは歯飛び用低面部３ｂに当接して乗り上げた状態で、第１のナット部２ａの先端部２ｃと光ピックアップ１の阻止壁１ｃとは隙間（寸法Ｓ１）があるように阻止壁１ｃが配置され、第２のナット部２ｂは歯飛び用低面部３ｃに隙間（寸法Ｓ２）があるように阻止壁１ｃが配置されている。
【００２９】
また、図５（ａ）に示すように、ナット板２のナット部２ａ、２ｂが主軸３の送り用ねじ面３ａに臨んでいる状態では、主軸３が略回転していない状況で、光ピックアップ１が主軸３に対してトラック方向に相対的に移動しようとした際には、ナット板２の第２のナット部２ｂが主軸３の送り用ねじ面３ａに当接して送り用ねじ面３ａから離脱する方向に移動しようとするが、この際に、ナット板２における第２のナット部２ｂ側の先端部２ｄが阻止壁１ｃに当接して、光ピックアップ１の移動を阻止するように阻止壁１ｃが配置されている。
【００３０】
以上のように構成された光ディスク装置としての携帯用ＭＤプレーヤーについて、その動作を説明する。
図２は、光ピックアップ１がトラック方向の終端部まで送られてきた時の図である。図２（ａ）は正面図であり、図２（ｂ）は、図２（ａ）のＲ−Ｒ線より見た矢視断面図である。
【００３１】
光ピックアップ１は、ナット板２のナット部２ａが主軸３の送り用ねじ面３ａに係合した状態で、主軸３が回転されることにより、トラック方向の終端部まで送られ、光ピックアップ１がシャーシ１０８の内壁１０８ｂに当接する。通常はこの位置で、光ピックアップ１は停止するが、主軸３の回転が安定しない場合には、オーバーランが発生し、光ピックアップ１は終端部で停止させられる一方で、主軸３のみ、さらに回転してしまう。すなわち、主軸３が光ピックアップ１を、通常停止すべき位置である終端部まで送り、さらにオーバーランが発生し、半回転して停止したとする。すると、図３（ａ）、（ｂ）に示すように、ナット板２の第１のナット部２ａは、主軸３の第１の歯飛び用低面部３ｂに乗り上げるが、ナット板２の先端部２ｃと光ピックアップ１の阻止壁１ｃとは隙間（寸法Ｓ１）がある設定としているので、主軸３の回転負荷は、ナット板２の第１のナット部２ａが主軸３の歯飛び用低面部３ｂを乗り越えるぶんだけわずかに増えるが、問題なく回転できる。なお、この際、ナット板２の第２のナット部２ｂは第２の歯飛び用低面部３ｃと隙間（寸法Ｓ２）がある状態となっている。
【００３２】
ここをさらに詳しく説明すると、もし、主軸３の歯飛び用低面部３ｂの外径Ｙが所定の寸法より大きい場合は、主軸３の歯飛び用低面部３ｂにナット板２の第１のナット部２ａが乗り上げようとした時に、このナット部２ａが光ピックアップ１の阻止壁１ｃと当接するため、乗り上げられなくなる。つまり、ナット板２の第１のナット部２ａは、主軸３の送り用ねじ面３ａに当接し、さらに、主軸３の送り用ねじ面３ａは螺旋状であるので、乗り上げる途中で主軸３の送り用ねじ面３ａと第１のナット部２ａとが、互いにねじ込まれる状態になり、回転負荷が重くなって強制的に停止する。この状態はウオームギアのロック現象と同じで、ナット板２の第１のナット部２ａが主軸３を絶えず押しているので、主軸３が回転し始める時の負荷がかなり大きくなり、通常の駆動力では、回転できなくなる。よって、ナット板２の第１のナット部２ａが、主軸３の歯飛び用低面部３ｂに乗り上げても、光ピックアップ１の阻止壁１ｃとナット板２の先端部２ｃとは当接しない、隙間（Ｓ１）のある設定としている。
【００３３】
次に、光ピックアップ１が終端部以外に位置する場合には、図４（ａ）、（ｂ）に示すように、ナット板２の第１のナット部２ａが主軸３の送り用ねじ面３ａに係合しているので、ナット板２の先端部２ｃと光ピックアップ１の阻止壁１ｃとには隙間（寸法Ｔ）があり、また、第２のナット部２ｂは、主軸３の送り用ねじ面３ａにも、光ピックアップ１の阻止壁１ｃにも隙間があるので、通常の動作をする。したがって、光ピックアップ１は、主軸３の回転により、トラック方向へ支障なく移動できる。
【００３４】
このとき、つまり、光ピックアップ１が終端部以外の位置で、光ディスクの情報を読み取っているときに、光ディスク装置に落下や振動などの大きな衝撃が加わった場合の挙動を図５を用いて説明する。落下などの衝撃で光ピックアップ１自身が図５（ａ）の矢印イ方向へ移動しようとしたとき、ナット板２の第２のナット部２ｂは、主軸３の送り用ねじ面３ａの傾斜に沿って変形し、第２のナット部２ｂ側の先端部２ｄが光ピックアップ１の阻止壁１ｃに当接する。そのため、ナット板２の第２のナット部２ｂは、主軸３の送り用ねじ面３ａを乗り越えられず、ほぼその位置で、保持されることになる。この際、主軸３は、回転していないので、上記ウオームロック状態にはならず、落下などの衝撃後も、ナット板２の第１のナット部２ａと主軸３の送り用ねじ面３ａとの係合は外れることはなく、主軸３の回転は通常に行える。
【００３５】
以上のように、主軸３の歯飛び用低面部３ｂ、３ｃの位置および形状と、ナット板２のナット部２ａ、２ｂの位置および形状と、光ピックアップ１の基台１ａにおける阻止壁１ｃの位置とを適正に設定するだけで、ユーザが、不注意で携帯用ＭＤプレーヤーを落下などさせてしまっても、光ピックアップ１のトラック方向への移動を防止できて、シャーシ１０８の内壁１０８ｂに衝突することを防止できるので、受ける衝撃Ｇ値を下げることができ、光ピックアップ１の光学部品１ｂや、他の構成部品の破壊がない、信頼性の高い光ディスク装置を実現できる。また、基台１ａが阻止壁１ｃとしても兼用され、阻止壁１ｃを基台１ａとは別途の部品として設けていないので、部品点数が従来のものに比べて増加せず、部品点数増加による製造コストの増加や組み付け工数の増加も生じない。
【００３６】
さらに、第１のナット部２ａと第２のナット部２ｂとを個別に設けて、通常の送り動作時には、主軸３の送り用ねじ面３ａに第１のナット部２ａだけを係合させ、大きな衝撃を受けた際に、光ピックアップ１の移動しようとする力を第２のナット部２ｂと阻止壁１ｃとにより受けるように構成したため、それぞれの弾性が適切になるべく、例えば、図１〜図５に示すように、第１のナット部２ａが設けられている腕の長さを長くし、第２のナット部２ｂが設けられている腕の長さを短くするというような、弾性力の調節も個別に行える。この場合、通常回転では、主軸３の送り用ねじ面３ａに第１のナット部２ａが比較的小さな力で係合するので、主軸３を比較的小さな駆動力で回転できる利点があり、送り用駆動モータ１１０の小型化も可能となる。しかも、大きな衝撃を受けた際に、第２のナット部２ｂにより、比較的大きな弾性力で良好に受けることができるので、光ピックアップ１への衝撃を良好に軽減させることができる。
【００３７】
なお、ここでの説明では、図５において、落下の方向が矢印イ方向のみであったが、その反対方向でも同様な効果が得られる。
また、図２、図３において、光ピックアップ１の可動範囲の終端部位置がディスクの外周位置である場合を図示して説明したが、内周位置でも、同様な構成をとることで、同様な効果が得られることは云うまでもない。
【００３８】
また、本実施の形態では、主軸３の歯飛び用低面部３ｂ、３ｃの外径は同じとしたが、図３においてナット板２のナット部２ａ、２ｂが、歯飛びできれば良いので、同じ寸法にする必要はなく、この場合でも同様な効果が得られる。
【００３９】
また、上記実施の形態において、また、ナット板２のナット部２ａ、２ｂを規制するものとして、光ピックアップ１の基台１ａを用いて阻止壁１ｃを構成した場合を説明したが、これに限るものではなく、他の別部品で規制壁１ｃを代用することも可能である。
【００４０】
また、上記実施の形態においては、２つのナット部２ａ、２ｂを１つのナット板２で構成したので、それぞれのナット部２ａ、２ｂを別個のナット板で構成した場合に比べて、部品点数を削減することができる利点があるが、ナット部２ａ、２ｂを別個のナット板で構成しても同様の作用を得ることができる。
【００４１】
また、主軸３に係合するねじ係合部材として板金状のナット板２を用いた場合を述べ、これによれば、簡単な構成で上記作用効果を良好に得られる利点があるが、これに限るものではなく、弾性的に主軸３に係合する構成物であればよい。
【００４２】
さらに、上記実施の形態においては、主軸３に歯飛び用低面部３ｂ、３ｃを形成した場合を述べ、この場合には、主軸３がオーバーランした場合でも、光ピックアップ１がシャーシ１０８の内壁１０８ｂに強く当接することが防止される利点があるが、これに限るものではなく、主軸３に歯飛び用低面部３ｂ、３ｃが設けられていないものにも適用可能である。
【００４３】
また、実施の形態として携帯用ＭＤプレーヤーの場合を述べたが、他のディスク装置にも適用できることはもちろんである。
【００４４】
【発明の効果】
以上のように本発明によれば、光ピックアップの基台側に、送り用ねじ軸の送り用ねじ面に当接する第１の係合面部と、送り用ねじ面に近接して臨む第２の係合面部とを設け、第２の係合面部が送り用ねじ面から離反する方向に弾性変形することを阻止する阻止壁を設けて、送り用ねじ軸が略回転していない状態で、光ピックアップが送り用ねじ軸に対して送り方向に相対的に移動しようとした際に、この光ピックアップの移動を第２の係合面部で阻止するように構成することで、光ディスク装置が落とされたりして大きな衝撃が与えられた場合でも、光ピックアップがシャーシなどに強く衝突することが防止され、したがって、光学部品が変形したり、再生できなくなることを防止することができて、信頼性（耐衝撃性）が向上する。しかも、第１の係合面部と第２の係合面部とにより受ける弾性力を個別に調整できるため、送り用ねじ軸を比較的小さな駆動力で回転したり、光ピックアップへの衝撃を良好に軽減させたりすることも可能である。
【００４５】
また、送り用ねじ軸の一部に、送り用ねじ面より低い山の高さの第１、第２の歯飛び用低面部を、これらの間のピッチが、第１の係合面部と第２の係合面部との間のピッチにほぼ対応するように形成し、阻止壁を、前記第１、第２の歯飛び用低面部が設けられている箇所に前記第１、第２の係合面部が臨んでいる状態では、歯飛び動作を許容させるように配置することで、良好な耐衝撃性を得ることができながら、光ピックアップが終端部よりさらに送られてシャーシなどに強く当接することも防止され、さらに、光ピックアップの損傷を防止できて故障の少ないディスク装置を得ることができる。
【００４６】
さらに、第１、第２の係合面部を第１、第２のナット部で構成し、これらの第１、第２のナット部を１つのナット板に設けることで、簡単な構成とすることができるとともに部品点数を最小限に抑えることができる。
【００４７】
また、阻止壁を基台で構成することで、部品点数増加による製造コストの増加や組み付け工数の増加を防止できる。
【図面の簡単な説明】
【図１】本発明の実施の形態における携帯用ＭＤプレーヤーのシャーシの分解斜視図である。
【図２】（ａ）および（ｂ）は、同シャーシの部分正面図、および（ａ）におけるＲ−Ｒ線矢視断面図で、光ピックアップがトラック方向の終端部まで送られてきた状態を示す。
【図３】（ａ）および（ｂ）は、同シャーシの部分正面図、および（ａ）におけるＲ−Ｒ線矢視断面図で、ナット部が歯飛び用低面部に乗り上げている状態を示す。
【図４】（ａ）および（ｂ）は、同シャーシの部分正面図、および（ａ）におけるＲ−Ｒ線矢視断面図で、ナット部が送り用ねじ面に係合している状態を示す。
【図５】（ａ）および（ｂ）は、同シャーシの部分正面図、および（ａ）におけるＲ−Ｒ線矢視断面図で、ナット板が阻止壁に当接している状態を示す。
【図６】（ａ）および（ｂ）は、それぞれ携帯用ＭＤプレーヤーの蓋を開けた状態と閉めた状態との断面図である。
【図７】従来の携帯用ＭＤプレーヤーにおける組み立て後のシャーシの斜視図である。
【図８】（ａ）および（ｂ）は、同シャーシの部分正面図、および（ａ）におけるＲ−Ｒ線矢視断面図である。
【符号の説明】
１          光ピックアップ
１ａ        基台
１ｂ        光学部品
２          ナット板（ねじ係合部材）
２ａ        第１のナット部（第１の係合面部）
２ｂ        第２のナット部（第２の係合面部）
２ｃ、２ｄ    先端部
３          主軸（送り用ねじ軸）
３ａ        送り用ねじ面
３ｂ        第１の歯飛び用低面部
３ｃ        第２の歯飛び用低面部
【図１】
0004401043.tif 000002
【図２】
0004401043.tif 000003
【図３】
0004401043.tif 000004
【図４】
0004401043.tif 000005
【図５】
0004401043.tif 000006
【図６】
0004401043.tif 000007
【図７】
0004401043.tif 000008
【図８】
0004401043.tif 000009